(57)【要約】      （修正有）【課題】組み立てが容易で、安全性の高い的場、的場と射場をセットにした弓道場キットおよび簡易弓道場を提供すること。【解決手段】的を設置する正面６０ａが下方になるほどせり出す傾斜を有し、正面に隣接する左右の側面６０ｂ、６０ｃが鉛直に形成された安土部６０と、安土部を載置するステージ７０と、ステージを挟んで設置され、安土部の側面に沿う方向に延伸する少なくとも２本の基礎材１０と、基礎材に接続され、安土部の正面と対向する背面側に安土部の左右方向に離間して立設される少なくとも２本の主柱２０と、安土部の上を、安土部の背面側から正面に至るまで延在する安土押さえ梁４２と、安土押さえ梁に支持され、安土部の正面の上部を押さえる安土転倒防止具４４と、２本の主柱に支持され、安土部より上の鉛直面を塞ぐように設置される防矢ネット８０とを備える的場１。【選択図】図１
0003143151.tif 000002
【実用新案登録請求の範囲】
【請求項１】
的を設置する正面が下方になるほどせり出す傾斜を有し、前記正面に隣接する左右の側面が鉛直に形成された安土部と；
前記安土部を載置するステージと；
前記ステージを挟んで設置され、前記安土部の側面に沿う方向に延伸する少なくとも２本の基礎材と；
前記基礎材に接続され、前記安土部の前記正面と対向する背面側に前記安土部の左右方向に離間して立設される少なくとも２本の主柱と；
前記安土部の上を、前記安土部の前記背面側から前記正面に至るまで延在する安土押さえ梁と；
前記安土押さえ梁に支持され、前記安土部の前記正面の上部を押さえる安土転倒防止具と；
前記２本の主柱に支持され、前記安土部より上の鉛直面を塞ぐように設置される防矢ネットとを備える；
的場。
【請求項２】
前記基礎材と前記主柱と前記安土押さえ梁とが、パイプ要素で組み立てられる；
請求項１に記載の的場。
【請求項３】
前記パイプ要素が、差込み継手を有する；
請求項２に記載の的場。
【請求項４】
前記安土部がウレタン樹脂で形成される；
請求項１ないし請求項３のいずれか１項に記載の的場。
【請求項５】
前記安土部の正面にゴム層が形成される；
請求項４に記載の的場。
【請求項６】
前記主柱に一端が支持され、前記安土部の上方で前記安土部の前記正面を越えて延在する少なくとも２本の幕用梁と；
前記幕用梁に垂下される幕とを備える；
請求項１ないし請求項５のいずれか１項に記載の的場。
【請求項７】
前記基礎材に接続され、前記安土部と前記主柱との間に立設され、前記幕用梁を支持する副柱を備える；
請求項６に記載の的場。
【請求項８】
前記安土押さえ梁が、前記副柱に支持される；
請求項７に記載の的場。
【請求項９】
前記主柱間に、着脱可能に接続されるブレースを備える；
請求項１ないし請求項８のいずれか１項に記載の的場。
【請求項１０】
前記主柱に支持され、前記安土部の上方を覆う屋根を備える；
請求項１ないし請求項９のいずれか１項に記載の的場。
【請求項１１】
請求項１ないし請求項１０のいずれか１項に記載の的場と；
前記安土部と同じ幅を有し、前記ステージと同じ高さを有する射場床とを備える；
弓道場キット。
【請求項１２】
前記安土部の幅が１８０ｃｍである；
請求項１１に記載の弓道場キット。
【請求項１３】
請求項１１または請求項１２に記載の弓道場キットを、前記安土部の左右方向に複数並べた；
簡易弓道場。
【考案の詳細な説明】
【技術分野】
【０００１】
本考案は、仮設の弓道場として用いることができる的場、弓道場キットおよび簡易弓道場に関する。より詳細には、簡易に設置可能で、かつ、安全な的場、弓道場キットおよび簡易弓道場に関する。
【背景技術】
【０００２】
和弓の競技を行う弓道場には、射手が弓を射る射場と、射場から約２８ｍ離れたところに位置する的場とが設置される。的場には、砂などを２ｍほどの高さに盛り上げ、その斜面に的を設置する安土（あずち）が築かれる。安土は的を設置する台であると共に、的を外れた矢を受け止める役割をも果たす。安土の上方には屋根が設置される。屋根からは、幕が垂れ下がり、安土の上方に飛んだ矢をやわらかく受け止める。なお、複数の射手が並んで行射することができるよう、射場や安土の幅は長く、競技用弓道場では２０ｍ以上であるのが一般的である。
【考案の開示】
【考案が解決しようとする課題】
【０００３】
近年の和弓の普及に伴い、和弓の競技も広く行われるようになってきている。しかし、上記のような弓道場の数は限られており、仮設した弓道場にて競技を行うことも少なくない。仮設の弓道場では、たとえば体育館などの広い室内に、畳などを立て、あるいは、発泡スチロール製ボックスを重ね、それらを足場用パイプのようなパイプを組み立てた構造で支え、安土の替わりに用いる。また、屋根や幕の設置が難しく、その上、安土の上方にそれた矢を受けるための防矢ネットの設置も難しいことが多い。そこで、防矢ネットをその場所の構造に応じて壁や天井などから吊り下げるなどして設置し、あるいは、設置できない場合もある。このような的場の設置には、時間と人手を要し、また、前記の足場用パイプを組み立てるためには専用工具が必要である。さらに、幕が設置されないと、美観が劣り、あるいは、安土の上方に外れた矢を損傷する可能性も高い。そこで、本考案は、組み立てが容易で、安全性の高い的場、的場と射場をセットにした弓道場キットおよび簡易弓道場を提供することを目的とする。
【課題を解決するための手段】
【０００４】
上記の目的を達成するために、請求項１に記載の考案に係る的場は、たとえば図１に示すように、的を設置する正面６０ａが下方になるほどせり出す傾斜を有し、正面６０ａに隣接する左右の側面６０ｂ、６０ｃが鉛直に形成された安土部６０と；安土部６０を載置するステージ７０と；ステージ７０を挟んで設置され、安土部６０の側面６０ｂ、６０ｃに沿う方向に延伸する少なくとも２本の基礎材１０と；基礎材１０に接続され、安土部６０の正面６０ａと対向する背面６０ｄ（図５参照）側に安土部６０の左右方向に離間して立設される少なくとも２本の主柱２０と；安土部６０の上を、安土部６０の背面６０ｄ側から正面６０ａに至るまで延在する安土押さえ梁４２と；安土押さえ梁４２に支持され、安土部６０の正面６０ａの上部を押さえる安土転倒防止具４４と；２本の主柱２０に支持され、安土部６０より上の鉛直面を塞ぐように設置される防矢ネット８０とを備える。
【０００５】
このように構成すると、基礎材と基礎材に立設される主柱とを組み立て、基礎材に挟まれるようにステージを設置し、ステージ上に安土部を載置し、主柱で支持して防矢ネットを設置することで、的場が容易に組み立てられる。また、防矢ネットが設置され、安全な的場となる。なお、「主柱で防矢ネットを支持」するとは、主柱で直接防矢ネットを支持する場合のほかに、他の部材を介在して支持する場合を含む。また、安土部の上部を安土転倒防止具で押さえるので、軽量な安土部であっても矢が突き刺さる力で移動や転倒することがない。さらに、安土部の側面が鉛直に形成されているので、安土部を並べやすく、長い的場を形成しやすい。
【０００６】
また、請求項２に記載の考案に係る的場は、請求項１に記載の的場１において、たとえば図２に示すように、基礎材１０と主柱２０と安土押さえ梁４２とが、パイプ要素で組み立てられる。
このように構成すると、パイプ要素で組み立てられるので、軽量で強度が高い。なお、パイプ要素には、円管のほか、角パイプなど含み、さらにそれらを接続するための継手類、たとえばＴ継手、Ｙ継手、エルボも含む。
【０００７】
また、請求項３に記載の考案に係る的場は、請求項２に記載の的場１において、たとえば図３に示すように、パイプ要素が、差込み継手を有する。
このように構成すると、パイプ要素が差込み継手で接続できるので、工具を必要とせず、簡単に組み立て可能となる。
【０００８】
また、請求項４に記載の考案に係る的場は、請求項１ないし請求項３のいずれか１項に記載の的場１において、たとえば図５に示すように、安土部６０がウレタン樹脂６２で形成される。
このように構成すると、安土部がウレタン樹脂で形成されるので、軽量となり、運搬、設置が容易である。また、安土部は、矢が刺さったときに矢との間の摩擦による熱で溶融することはない。さらに、適度に矢が貫入できるので、矢が損傷することもない。また、以上のことより、刺さった矢を容易に引き抜くことができる。
【０００９】
また、請求項５に記載の考案に係る的場は、請求項４に記載の的場１において、たとえば図５に示すように、安土部６０の正面６０ａにゴム層６４、６６が形成される。
このように構成すると、安土部の正面にゴム層が形成されるので、安土部に刺さった矢が、ウレタン樹脂からの反力で戻されて抜けてしまうことが防止され、また、矢を抜いた後の穴が塞がれ、繰り返しの使用に適する。
【００１０】
また、請求項６に記載の考案に係る的場は、請求項１ないし請求項５のいずれか１項に記載の的場１において、たとえば図１に示すように、主柱２０に一端が支持され、安土部６０の上方で安土部６０の正面６０ａを越えて延在する少なくとも２本の幕用梁３０と；幕用梁３０に垂下される幕８６とを備える。
このように構成すると、主柱から安土部の正面を越えて延在する幕用梁で、幕を垂下するので、簡単に幕を設置することができる。なお、「幕用梁に垂下される幕」とは、幕が幕用梁に直接垂下される場合のほかに、他の部材を介して垂下される場合を含む。
【００１１】
また、請求項７に記載の考案に係る的場は、請求項６に記載の的場１において、たとえば図１および図２に示すように、基礎材１０に接続され、安土部６０と主柱２０との間に立設され、幕用梁３０を支持する副柱４０を備える。
このように構成すると、安土部と主柱の間に立設された副柱でも幕用梁を支持するので、幕用梁を強固に支持することができる。
【００１２】
また、請求項８に記載の考案に係る的場は、請求項７に記載の的場１において、たとえば図２に示すように、安土押さえ梁４２が、副柱４０に支持される。
このように構成すると、安土押さえ梁が、安土部と主柱の間に立設された副柱に支持されるので、安土押さえ梁の長さが短くなり、安土部を安定して押さえることができる。
【００１３】
また、請求項９に記載の考案に係る的場は、請求項１ないし請求項８のいずれか１項に記載の的場１において、たとえば図２に示すように、主柱２０間に、着脱可能に接続されるブレース５０を備える。
このように構成すると、複数の主柱が、互いにブレースで接続されるので、主柱の間隔を固定できる。また、主柱の変形が抑えられる。さらに、ブレースが着脱可能であるので、組立ておよび解体が容易である。
【００１４】
また、請求項１０に記載の考案に係る的場は、請求項１ないし請求項９のいずれか１項に記載の的場において、たとえば図６に示すように、主柱２０に支持される、安土部６０の上方を覆う屋根１１０を備える。
このように構成すると、屋根が主柱に支持されるので、少ない部材で簡単に屋根を設置することができる。また、安土部の上方を屋根で覆うので、安全性が高まると共に、正式な弓道場の条件を実現できる。なお、「主柱に支持される」とは、屋根が主柱で直接支持される場合のほかに、屋根を直接支持している部材が主柱に支持される場合、すなわち、間接的に主柱に支持される場合を含む。
【００１５】
前記目的を達成するため、請求項１１に記載の考案に係る弓道場キットは、たとえば図７に示すように、請求項１ないし請求項１０のいずれか１項に記載の的場１と；安土部６０と同じ幅を有し、ステージ７０と同じ高さを有する射場床９０とを備える。
このように構成すると、弓道場キットは、容易に組み立てられて安全な的場と、ステージと同じ高さの射場床とを備えるので、容易に組み立てられて安全な弓道場キットとなる。特に、射場床の高さが、安土部を載置するステージと同じ高さなので、正式な弓道場での射場の条件を実現できる。また、安土部と射場床が同じ幅であるので、並べやすく、幅の広い弓道場を組み立てやすい。
【００１６】
また、請求項１２に記載の考案に係る弓道場キットは、請求項１１に記載の弓道場キット１００において、安土部の幅が１８０ｃｍである。
このように構成すると、競技における一競技者用の幅と同等となり、正式な弓道場の条件を実現できる。
【００１７】
前記目的を達成するために、請求項１３に記載の考案に係る簡易弓道場は、たとえば図８に示すように、請求項１１または請求項１２に記載の弓道場キット１００を、安土部６０の左右方向に複数並べて構成される。
このように構成すると、容易に組み立てられて安全な弓道場キットを並べることにより、簡単に設置でき安全な簡易弓道場となる。
【考案を実施するための最良の形態】
【００１８】
先ず、図１および図２を参照して、本考案に係る的場１について説明する。図１は、的場１の全体図を示す斜視図で、図２は、的場１のフレーム構造を示す斜視図である。図１では、２つの的場１が左右に並べられている。的場１は、たとえば体育館などの床上に配置されるステージ７０と、ステージ７０上に載置される安土部６０と、安土部６０を囲むようにして床上に配置されるフレーム構造を備える。
【００１９】
ステージ７０上に載置された安土部６０は、正面６０ａは下方になるほどせり出す傾斜を有し、正面６０ａに侯串（不図示）を介して的（不図示）を設置する。ステージ７０は、安土部６０の正面６０ａよりさらに図１の手前にせり出し、安土部６０の側面６０ｂ、６０ｃとほぼ同じ幅を有する。ここで、ステージ７０には後述する基礎材１０が入る空間が形成され、図１に示すように、的場１が並べられたときに、上面および正面６０ａよりせり出した側の端面７０ａは隙間なく並べられるのが好ましい。なお、ステージ７０は複数枚を並べて、上記の寸法を有する構造としてもよく、図１に示す的場１では、２枚の要素でステージ７０を構成する。ステージ７０は、土台としての横木の上に薄板材を貼った構造としても、無垢材で形成されてもよく、また、木材でも、プラスチックスや硬質ゴムで形成されてもよい。ステージ７０は、安土部６０を水平に載置できればよく、安土部６０を載置したときに変形が少ないのが好ましい。また、ステージ７０の床と接する下面および安土部６０を載置する上面は、摩擦を大きく、滑りにくくすることが好ましい。また、安土部６０からせり出した側の端面７０ａに傾斜を設け、矢（不図示）が当該面に当たると滑ることにより、矢がステージ７０に突き刺さらないようにするのが好ましい。
【００２０】
フレーム構造は、ステージ７０を挟んで床上に配置される基礎材１０を含む。基礎材１０は、角パイプを安土部６０の側面６０ｂ、６０ｃに沿う方向に配置する構成である。基礎材１０は、角パイプでなく、円管など他の断面のパイプあるいは中実棒、形鋼あるいは板でもよいが、パイプ構造とすると、曲げ強度を維持しつつ軽量となるので、好ましい。特に角パイプとすると、基礎材１０を配置する床との接触面積が増えるので、床を傷めず、好ましい。基礎材１０は、安土部６０を挟んで側面６０ｂ、６０ｃに沿う方向に延伸して配置されるので、荷重を安定して支えることができる。ここで、「側面６０ｂ、６０ｃに沿う方向に延伸」するとは、後述する主柱２０等を支えても、側面６０ｂ、６０ｃに沿う方向に簡単に倒れない程度に長さを有すればよい。また、「２本の基礎材」には、板材等により構成される２枚あるいは２個の基礎材である場合を含む。
【００２１】
基礎材１０から主柱２０が立設される。主柱２０は、安土部６０より高く、射損じた矢が到達すると予想される高さと同じかそれ以上の高さを有するのが好ましい。主柱２０はパイプ構造とするのが好適であるが、中実棒でも形鋼でもよい。基礎材１０と主柱２０とは、どのように接続されてもよく、溶接で接続されてもよく、Ｔ継手（不図示）が基礎材１０に組み込まれてそのＴ継手と接続されてもよく、また、基礎材１０に主柱２０と接続するための継手（不図示）が設置されて主柱２０の一端をその継手に差し込んで接続する差込み継手としてもよい。溶接構造とすると、強度が高く荷重を受けても変形が少ないので好ましい。主柱２０が基礎材１０に接続する位置は、基礎材１０の中央よりも、安土部６０の正面６０ａと対向する背面６０ｄ（図５参照）側、すなわち図１の奥側に寄った位置とする。後述するように、主柱２０から幕用梁３０が安土部６０の正面６０ａを越えて張り出すので、主柱２０には安土部６０の正面６０ａ側、すなわち図１の手前側に向けて回転するモーメントが作用する。そのモーメントを基礎材１０で支えるので、図１の手前側の基礎材１０が長くなる位置に、主柱２０は接続されるのが好ましい。
【００２２】
２本の主柱２０の上端に防矢ネット梁２６が渡される。防矢ネット梁２６は、２本の主柱２０の中心間距離と同じ長さを有するパイプ構造とし、その両端に主柱２０の上端に設けた受け部と係合する接続部（不図示）を有するのが好適である。なお、防矢ネット梁２６は金属棒などで形成されてもよい。典型的には、主柱２０の受け部は、上端に設けられた孔あるいは、パイプ材の中心空洞部で、防矢ネット梁２６の接続部は、孔に挿入される突起である。図１に図示するように、的場１が並べられる場合には、防矢ネット梁２６が２本の主柱２０の中心間距離と同じ長さを有すると、１本の主柱２０の上端に２本の防矢ネット梁２６の端部が合わさり、両防矢ネット梁２６の接続部が１本の主柱２０の受け部に係合する。あるいは、１本の防矢ネット梁２６が３本以上の主柱２０の上端に渡され、各主柱２０の受け部と係合してもよい。主柱２０の上端に防矢ネット梁２６が渡されると、主柱２０の変形が抑えられる。
【００２３】
防矢ネット梁２６から防矢ネット８０が垂下される。防矢ネット８０は、安土部６０の上方に外れた矢を受ける面を構成する。防矢ネット８０は、矢が貫通しない程度に目の細かなネットあるいは布で、安土部６０の上端に達する高さと、主柱２０との間にほとんど隙間ができない程度の幅を有するのが好ましい。すなわち、安土部６０より上の鉛直面が防矢ネット８０で塞がれる。防矢ネット８０は、防矢ネット梁２６から直接垂下されてもよいし、あるいは、リングなどを介して垂下されてもよい。さらに、防矢ネット８０は主柱２０で直接支持されてもよい。いずれの場合も、防矢ネット８０が主柱２０に支持されるという概念に含まれる。
【００２４】
主柱２０が立設する位置より図１の手前側において、基礎材１０から副柱４０が立設される。副柱４０は、安土部６０より高く、主柱２０より低い高さを有する。副柱４０はパイプ構造とするのが好適であるが、中実棒でも形鋼でもよい。基礎材１０と副柱４０とは、どのように接続されてもよく、溶接で接合されてもよく、Ｔ継手（不図示）が基礎材１０に組み込まれてそのＴ継手と接続されてもよく、また、基礎材１０に副柱４０と接続するための継手（不図示）が設置されて副柱４０の一端をその継手に差し込んで接続する差込み継手としてもよい。溶接構造とすると、強度が高く荷重を受けても変形が少ないので好ましい。
【００２５】
主柱２０に幕用梁３０が接続される。幕用梁３０は、主柱２０から図１の手前側の斜め上方に向けて配置され、副柱４０の上端で支持される。斜め上方に向ける角度は特に限定されないが、角度が大きすぎると幕用梁３０の長さが長くなり重量も増えてしまうので、好ましくない。また、角度が小さすぎると、後述の幕取付梁３８および幕８６の重量のために幕用梁３０のたわみが大きくなってしまうので好ましくない。幕用梁３０の先端は、安土部６０の正面６０ａより図１の手前側となる。幕用梁３０が主柱２０に接続し、副柱４０で支持されることにより、斜めに配置されても片持ち梁状態とならず、変形が抑えられ、主柱２０との接続部に生ずるモーメントが過大にならず、好ましい。幕用梁３０はパイプ構造とするのが軽量で強度が高く、好適である。主柱２０と幕用梁３０とは、どのように接続されてもよく、溶接で接続されてもよく、Ｔ継手（不図示）が主柱２０に組み込まれてそのＴ継手と接続されてもよく、また、主柱２０に幕用梁３０と接続するための継手（不図示）が設置されて幕用梁３０の一端をその継手に差し込んで接続する差込み継手としてもよい。溶接構造とすると、強度が高く荷重を受けても変形が少ないので好ましい。
【００２６】
２本の幕用梁３０の先端に幕取付梁３８が渡される。幕取付梁３８は、２本の幕用梁３０の中心間距離と同じ長さを有するパイプ構造とし、その両端に幕用梁３０の先端に設けた受け部と係合する接続部（不図示）を有するのが好適である。なお、幕取付梁３８は金属棒、形鋼などで形成されてもよい。典型的には、幕用梁３０の受け部は、先端に設けられた孔あるいは、パイプ材の中心空洞部で、幕取付梁３８の接続部は、孔に挿入される突起である。図１に図示するように、的場１が並べられる場合には、幕取付梁３８が２本の幕用梁３０の中心間距離と同じ長さを有すると、１本の幕用梁３０の先端に２本の幕取付梁３８の端部が合わさり、両幕取付梁３８の接続部が１本の幕用梁３０の受け部に係合する。あるいは、１本の幕取付梁３８が３本以上の幕用梁３０の上端に渡され、各幕用梁３０の受け部と係合してもよい。
【００２７】
幕取付梁３８から幕８６が垂下される。幕８６は、布製の幕で、安土部６０の上端に達する程度の高さと、幕用梁３０の先端間の幅と同程度の幅を有する。幕８６は、幕取付梁３８から直接垂下されてもよいし、あるいは、リングなどを介して垂下されてもよい。さらに、幕８６は幕用梁３０で直接支持されてもよい。いずれの場合も、幕８６が幕用梁３０支持されるという概念に含まれる。
【００２８】
副柱４０に安土押さえ梁４２が接続する。安土押さえ梁４２は、安土部６０の上端直上を図１の手前側に向けて配置される。安土押さえ梁４２の先端は、安土部６０の傾斜した正面６０ａの上端近傍に位置する。安土押さえ梁４２はパイプ構造とするのが好適であるが、中実棒でもよいし、形鋼や板材で形成されてもよい。副柱４０と安土押さえ梁４２とは、どのように接続されてもよく、溶接で接続されてもよく、Ｔ継手（不図示）が副柱４０に組み込まれてそのＴ継手と接続されてもよい。溶接構造とすると、組み立てが簡単になり好ましい。特に安土押さえ梁４２の長さは比較的短いので、副柱４０と一体としても、その保管や運搬への影響は少ない。
【００２９】
安土押さえ梁４２の先端に安土転倒防止具４４が設置される。安土転倒防止具４４は、安土部６０の正面６０ａが図１の手前側に移動するのを防止するための部材で、典型的には金属製の板で正面６０ａを押さえる。安土部６０は正面６０ａを、特にその上部を安土転倒防止具４４に押さえられることにより、図１の手前側への移動および転倒が防止される。なお、安土部６０の図１の奥側への移動および転倒は、たとえば副柱４０で押さえられ、あるいは、主柱２０もしくは後述するブレース５０で押さえられる。安土転倒防止具４４は、典型的には安土押さえ梁４２の先端からパイプ構造の中心空洞部に挿入される軸部（不図示）を有し、その軸部を安土押さえ梁４２に取り付けられた蝶ボルト４８（図４参照）で固定する。なお、安土転倒防止具４４の安土押さえ梁４２への固定方法は、他の周知の方法でもよい。
【００３０】
図２に示すように、２本の主柱２０の間にブレース５０が取り付けられる。ブレース５０は、主柱２０の背面側、すなわち副柱４０が設置されたのとは反対側に設置されたピン（不図示）に差し込んで設置する構造とするのが、組み立て、解体が容易で好ましい。なお、ピンの先端にブレースが外れないようにはずれ防止機構を設けてもよい。特に、ブレース５０で安土部６０の移動等を抑えるときには、はずれ防止機構を設けることが必要である。図２では、ブレース５０はＸ型にしているが、ブレース５０が１本で構成されるＺ型であってもよい。ブレース５０が備えられるので、２本の主柱２０の間隔が定まり、また、主柱２０の変形が抑えられる。
【００３１】
２本の基礎材１０の間にもブレース５２が取り付けられる。ブレース５２は、基礎材１０の上面側に設置されたピン１２、１４に差し込んで設置する構造とするのが、組み立て、解体が容易で好ましい。基礎材１０の上面側に設置されたピン１２、１４に差し込むので、ブレース５２の自重のために、ブレース５２は外れにくい。図２では、ブレース５２はＸ型にしているが、ブレース５２が１本で構成されるＺ型であってもよい。ブレース５２が備えられるので、２本の基礎材１０の間隔が定まる。
【００３２】
続いて、図３を参照して、フレーム構造の組立て方法の一実施例を説明する。図３は、基礎材１０、主柱２０、幕用梁３０、副柱４０および安土押さえ梁４２の組み立て方法を説明する斜視分解図である。本実施例では、基礎材１０と、主柱２０の下部２２と、副柱４０と、幕用梁３０の根元部３２と、安土押さえ梁４２とは、溶接接続され、一体化された部材１６とされている。なお、幕用梁３０は、主柱２０の下部２２に接続している。このように、基礎材１０と主柱２０の下部２２と副柱４０と幕用梁３０の根元部３２と安土押さえ梁４２とを一体化された部材１６とすることで、組立てを簡便にすることができる。特に、これらの部材を一体としても、保管や輸送が困難になるほどに大きくなることはない。一実施の形態では、安土部６０の高さを１．２ｍ程度とし、一体化された部材１６の高さは１．８ｍ程度とする。また、一体化された部材１６の幅、すなわち基礎材１０の長さは、１．８ｍ程度とする。また、パイプ構造を用いることにより、一体化された部材１６の重量は、一人で運搬できる程度となる。
【００３３】
一体化された部材１６を、設置場所の床上に寝かした状態とし、主柱２０の上部２４と幕用梁３０の先端部３６を接続する。主柱２０の下部２２と上部２４とは差込み継手となっており、工具を使わずに簡単に接続することができる。また、幕用梁３０の根元部３２と先端部３６も、差込み継手となっており、簡単に接続することができる。ここで、差込み継手においては、図３の先端部３６で例示するように、先端部３６の部材を先端差込み部３６ａと本体部３６ｂとで構成し、先端差込み部３６ａを根元部３２のパイプの中心空洞部のような孔に挿入することで接合できる。このようにして、１面の側面フレーム構造１８を組み立てることができる。
【００３４】
１面の側面フレーム構造１８が組み立てられたら、他の面の側面フレーム構造１８を同様に組み立てる。２面の側面フレーム構造１８が組み立てられたら、的場１を設置する場所で、２面の側面フレーム構造１８を所定の間隔だけ隔てて立てる。ここで、所定の間隔は、安土部６０の幅であり、すなわち、１人の射手が占める幅で、典型的には１８０ｃｍである。この場合には、それぞれの側面フレーム構造１８毎に人が押さえる。そして、別の人が、２面の側面フレーム構造１８の間にブレース５０およびブレース５２を設置する。前述の通り、ブレース５０、５２はピンに差し込むことにより、工具を使わず、簡単に設置することができる。必要に応じて、ブレース５０のはずれ防止機構を付ける。ブレース５０、５２が設置されると、図２に示すフレーム構造が完成し、フレーム構造は自立する。
【００３５】
続いて、図１および図４を参照して、安土部６０と安土転倒防止具４４の取り付けについて説明する。図４は安土転倒防止具４４の取り付けを説明する拡大斜視図である。フレーム構造が完成したら、基礎材１０の間にステージ７０を敷く。ステージ７０は、基礎材１０にかぶさるような上面を有しており、隙間なく敷かれる。一実施の形態では、ステージ７０は１面を副柱４０に当接して敷かれる。続いて、ステージ７０上に安土部６０を設置する。安土部６０は背面６０ｄ（図５参照）を副柱４０に当接して設置される。このように、ステージ７０と安土部６０を副柱４０に当接して設置することで、ステージ７０と安土部６０との設置位置が定まり、さらに、安土部６０が図１の奥側に移動することおよび転倒することが防止される。
【００３６】
安土部６０を設置したら、安土転倒防止具４４の軸部（不図示）を安土押さえ梁４２のパイプ材の中心空洞部（不図示）に挿入する。そして、安土転倒防止具４４を安土部６０の正面６０ａに当たるまで押し込む。そして、蝶ボルト４８を安土押さえ梁４２に形成されたねじ孔（不図示）に嵌め入れ、安土転倒防止具４４の軸部を押さえるまで締める。蝶ボルト４８で安土転倒防止具４４の軸部を締めることにより、安土転倒防止具４４は安土押さえ梁４２に固定され、安土部６０の図１の手前側への移動を防止し、転倒を防止する。したがって、安土部６０は図１の手前側にも奥側にも移動せず転倒することがなく、正面６０ａに矢（不図示）が当たることによる衝撃を受けても動かない。
【００３７】
安土部６０を設置し、安土転倒防止具４４を取り付けたならば、幕用梁３０の先端に幕取付梁３８を設置する。典型的には、幕用梁３０のパイプ材の中心空洞部に、幕取付梁３８の接続部である突起を挿入することで、幕取付梁３８は固定される。幕取付梁３８に幕８６を取り付ける。続いて、主柱２０の上端に防矢ネット梁２６を設置する。典型的には、主柱２０のパイプ材の中心空洞部（不図示）に、防矢ネット梁２６の接続部である突起を挿入することで、防矢ネット梁２６は固定される。防矢ネット梁２６に防矢ネット８０を取り付ける。
【００３８】
なお、的場１を並べて設置するには、必要な面数の側面フレーム構造１８を組立てる。上記の通りに２面の側面フレーム構造１８間にブレース５０、５２を設置する。次に、組立てられ自立するフレーム構造の側面フレームから所定の間隔を隔てて、側面フレーム構造１８を配置し、ブレース５０、５２を設置する。順次、側面フレーム１８を追加し、ブレース５０、５２を設置していくことで、幅の広い的場用のフレーム構造も簡単に組み立てられる。ステージ７０、安土部６０、幕用梁３８と幕８６、防矢ネット梁２６と防矢ネット８０の設置は、的場１を並べて設置する場合でも、前述の説明と同様に行うことができる。
【００３９】
以上説明したように、的場１は、工具を使用することなく、少人数で、かつ、短時間で簡単に設置できる。本実施の形態では、３人で組み立てることができる。また、防矢ネット８０が設置され、安全であるので、体育館内等に仮設する弓道場用の的場として適している。
【００４０】
次に、図５を参照して、安土部６０の構造を説明する。図５は、安土部６０の構造を説明する図で、（ａ）は側面図、（ｂ）は（ａ）のＡ−Ａ断面図である。安土部６０は、正面６０ａが下方になるほどせりだす傾斜を有し、側面６０ｂ、６０ｃおよび背面６０ｄは垂直に形成される。傾斜の角度は、好ましくは８５度とする。傾斜の角度を小さくすると安土部６０がさらに移動しにくく、かつ転倒しにくくなる。傾斜の角度を大きくすると、安土部６０の体積を小さくでき、軽量になり、かつ、材料コストを低減できる。安土部６０は主として、ウレタンフォームを細かく粉砕して、接着剤を混合した後、圧縮成形したウレタンチップフォーム６２で成形される。ウレタンチップフォーム６２で成形されるので、軽量で、運搬が容易な安土部６０となる。また、矢が安土部６０に刺さる際に生ずる摩擦熱で融解することがなく、矢に融解した安土部６０の一部が付着することがない。また、ウレタンチップフォーム６２であるので、適当な硬度があり、矢の貫入する深さも適当であり、また、矢が刺さったときに形成される矢の穴も消され易く、繰り返し使用するのに適する。さらに、以上のことから、刺さった矢を容易に抜くこともできる。たとえば、密度４０〜６０ｋｇ／ｍ３のウレタンチップフォームを用い、厚みを２００〜４００ｍｍとする。
【００４１】
図５（ｂ）の断面図に示すように、安土部６０の正面６０ａ側にはウレタンチップフォーム６２に、ゴム層としての、軟質ウレタンシート６４とＥＶＡ（エチレン-酢酸ビニル共重合樹脂）シート６６が積層される。軟質ウレタンシート６４とＥＶＡシート６６が積層されることにより、矢が刺ささるときに反力で撥ね返されることが防止される。さらに、ＥＶＡシート６６には、矢を抜いた後にも、矢の跡がほとんど残らないので、繰り返し使用するのに好適である。安土部６０では、ウレタンチップフォーム６２が厚く、軟質ウレタンシート６４が次に厚く、ＥＶＡシート６６は薄く形成され、たとえば、軟質ウレタンシート６４は５０ｍｍ厚さとし、ＥＶＡシート６６は５ｍｍ厚さとする。ゴム層としては、軟質ウレタンシート６４とＥＶＡシート６６が積層されることが上述の通り好ましいが、他の硬弾性発泡材あるいはゴム材の構成としてもよい。
【００４２】
次に図６を参照して、屋根付き的場２について説明する。図６は屋根付き的場２を示す斜視図で、図１の裏側からの斜視図であり、図１と同様に２つの屋根付き的場２が左右に並べられている。図６では、幕８６は備えているが、防矢ネット８０は省略している。屋根付き的場２では、幕用梁３０上に屋根板１１０を被せて、屋根を構成している。屋根板１１０は、２本の幕用梁３０で画定される範囲（図２参照）を１枚の板で覆ってもよいし、複数枚の板で覆ってもよい。屋根板１１０は、木材で構成しても、プラスチックスで構成してもよいが、軽量化のために中空材で構成することが好ましい。屋根板１１０は、幕用梁３０上に設置されるものとしたが、幕用梁３０は主柱２０に支持されている。また、主柱２０あるいは主柱２０で支持されている他の梁で支持されてもよく、幕用梁３０等との間に他の部材を介してもよい。たとえば、主柱２０から吊り下げられる屋根であってもよい。これらいずれの場合にも屋根（屋根板１１０）は主柱２０に支持されるという概念に含まれる。屋外で使用するときには、屋根板１１０の上に、たとえばビニールシートのような１枚のシート１１２を被せ、屋根板１１０のつなぎ目を隠してもよい。シート１１２で覆うことにより、防水機能が高まる。
【００４３】
続いて、図７を参照して、的場１を用いた弓道場キット１００について説明する。図７は、的場１と射場床９０とを備える弓道場キット１００の斜視図である。的場１は組み立てて図示しているが、弓道場キット１００としては組み立てていなくてもよい。弓道場キット１００が的場１と射場床９０とを備えるので、弓道場キット１００だけで、弓道場に必要な構成が揃い、弓道場を仮設するのが容易となる。射場床９０は、的場１から所定の距離、典型的には約２８ｍ離して配置して、用いる。
【００４４】
射場床９０は、射手が弓を射る場所に敷設される床である。射場床９０は、ステージ７０と同じ厚さ、安土部６０と同じ幅を有する。射場床９０がステージ７０と同じ高さであるので、安土部６０が載置される面と同じ高さに射手が立つことになり、正式な弓道場と同じ条件となる。また、射場床９０が安土部６０と同じ幅を有するので、弓道場キット１００を横に並べ、すなわち的場１と射場床９０とを並べて、複数の射手が同時に弓を射ることができる、幅の広い弓道場を形成することが容易である。射場床９０の長さは、射手が弓を射るのに適した長さであればよく、たとえば、幅と同じ長さとしてもよい。射場床９０は、典型的には合板または無垢材の床材で形成されるが、横木の上に薄板を貼ったものでも、他の構造でもよい。
【００４５】
複数の射場床９０を並べるときには、射場床９０同士を連結するのが好ましく、連結は、周知の方法で行うことができる。また、弓道場キット１００が、１つの的場１に対して複数の射場床９０を備え、広い射場とするために、弓を射る方向（射場床９０から的場１の方向）に複数の射場床９０を並べて、縦に長く形成してもよい。なお、弓道場キット１００の的場１と射場床９０とは、１８０ｃｍ幅を有するのが好ましい。競技における一競技者用の幅は１８０ｃｍであり、１つの弓道場キット１００で正式な弓道場の条件を実現できるからである。弓道場キット１００として、的場１と射場床９０とを備えるものとして説明したが、弓道場キットは、的場１ではなく、屋根付き的場２を備えてもよい。
【００４６】
続いて、図８を参照して、弓道場キット１００を用いて設置した簡易弓道場について説明する。図８は弓道場キット１００を用いて設置した簡易弓道場の模式図である。弓道場キット１００を用いて簡易弓道場を設置する場合には、１つの的場１と１つの射場床９０で弓道場を設置するよりは、複数の弓道場キット１００を安土部６０（図１参照）の左右方向に並べて、射場や安土部６０の幅を長くする。よって、複数の射手が並んで行射することができる。さらに、左右に逸れた矢が安土部６０あるいは、その上下のステージ７０、防矢ネット８０、幕８６で受け止められるので、安全である。また、設置する射場９０の数より的場１の数を増やし、左右端あるいはその近くの射場から射られた矢が左右に逸れでも、的場１で受けられるようにしてもよい。図８では、６セットの弓道場キット１００を用いる例を示しているが、並べる的場１と射場９０との数は、設置する場所の広さ、同時に行射する射手の数などに応じて、適宜定められる。簡易弓道場では、的場１と射場９０とを約２８ｍ離すのが一般的である。その間に、たとえば人工芝を敷設してもよい。的場１ではなく屋根付き的場２を用いた弓道場キットを用いて、簡易弓道場を設置してもよい。
【００４７】
これまでの説明では、基礎材１０に副柱４０が接続するものとして説明したが、副柱４０は備えなくてもよい。また、これまでの説明では、安土押さえ梁４２は副柱４０に接続するものとして説明したが、主柱２０に接続してもよい。また、これまでの説明では、的場１は２本の主柱２０を有するものとして説明したが、３本以上の主柱２０を有してもよい。また、これまでの説明では、的場１は２本の基礎材１０を有するものとして説明したが、３本以上の基礎材１０を有してもよい。
【図面の簡単な説明】
【００４８】
【図１】的場の全体図を示す斜視図である。
【図２】的場のフレーム構造を示す斜視図である。
【図３】基礎材、主柱、幕用梁、副柱および安土押さえ梁の組み立て方法を説明する斜視分解図である。
【図４】安土転倒防止具の取り付けを説明する拡大斜視図である。
【図５】安土部の構造を説明する図で、（ａ）は側面図、（ｂ）は（ａ）のＡ−Ａ断面図である。
【図６】屋根付き的場を示す斜視図である。
【図７】的場と射場床とを備える弓道場キットの斜視図である。
【図８】弓道場キットを用いて設置した簡易弓道場の模式図である。
【符号の説明】
【００４９】
１  的場
２  屋根付き的場
１０  基礎材
１２、１４  ピン
１６  一体化された部材
１８  側面フレーム構造
２０  主柱
２２  主柱の下部
２４  主柱の上部
２６  防矢ネット梁
３０  幕用梁
３２  幕用梁の根元部
３６  幕用梁の先端部
３８  幕取付梁
４０  副柱
４２  安土押さえ梁
４４  安土転倒防止具
４８  蝶ボルト
５０、５２  ブレース
６０  安土部
６０ａ  正面
６０ｂ、６０ｃ  側面
６０ｄ  背面
６２  ウレタンチップフォーム（ウレタン樹脂）
６４  軟質ウレタンシート（ゴム層）
６６  ＥＶＡシート（ゴム層）
７０  ステージ
８０  防矢ネット
８６  幕
９０  射場床
１００  弓道場キット
１１０  屋根板（屋根）
１１２  屋根シート
【図１】
0003143151.tif 000003
【図２】
0003143151.tif 000004
【図３】
0003143151.tif 000005
【図４】
0003143151.tif 000006
【図５】
0003143151.tif 000007
【図６】
0003143151.tif 000008
【図７】
0003143151.tif 000009
【図８】
0003143151.tif 000010